(57)【要約】      （修正有）【課題】台車やラックの高さと奥行きを大きくすることなく幅を狭くするための伸縮機構を提供する。【解決手段】対向する幅方向の二面の矩形の枠体００１、００２にＸ字に組合せた大リンク０１０の２本の竿０１０ａ，０１０ｂの一端を枠体００１，００２に付設の軸受け００３ａに旋回可能に取付け、他端を反対側の枠体００２、００１に付設の長穴００８ａ、００７ａにスライド可能に交差して装着する。竿０１０ａと竿０１０ｂを屈伸可能な２枚のリンク板０３０ａ、０３０ｂで構成した小リンク０３０で連結。また同様に対向面側にも行うことにより、小リンク０３０を屈伸させるだけで二面間距離を枠体が平行な状態のまま長短できる伸縮機構を構成する。【選択図】図１
2017070683.tif 000002
【特許請求の範囲】
【請求項１】
対向する左右の矩形体に、Ｘ字に組合せた大リンクの２本の竿の端を旋回、もう片方の端をスライド可能にそれぞれ取付け、その竿に屈伸可能な小リンクを連結する伸縮機構。
【請求項２】
Ｘ字に組合せた大リンクと小リンクの支点などの２点を「コノ字」等の窪みを付けた固定具と軸で固定する請求項１の伸縮機構。
【請求項３】
請求項１、２に記載の伸縮機構の対向面に布、網などの屈曲性の良い棚材の両端を縮むと垂れ下がるように取付けることを特徴とする伸縮可能なラック。
【発明の詳細な説明】
【技術分野】
【０００１】  本発明は、台車やラックの伸縮機構に関する。
【背景技術】
【０００２】  運搬や保管に使用する台車やラックのなかで、特にトラック輸送や保管用として使用する台車やラックについては、使用しない空状態の時に小型化できることが輸送や保管置きの効率面で望ましい。【０００３】  こうした台車やラックを小型化する方法として、例えば特許文献１には伸縮式の棚が開示されている。
【先行技術文献】
【特許文献】
【０００４】
【特許文献１】特開平１１−２６６９３７
【発明の開示】
【発明が解決しようとする課題】
【０００５】  本発明は、作業が複雑であるなどの従来技術の問題点を解決するためになされたもので、簡便な方法により伸縮と固定を可能にした伸縮機構を提供するものである。
【課題を解決するための手段】
【０００６】  請求項１に記載の伸縮機構は、対向する幅方向二面の矩形の枠体にＸ字に組合せた大リンクの２本の竿の一端を枠体に付設の軸受けに回動可能に取付け、もう一端を反対側の枠体に付設の長穴にスライド可能に交差して装着する。さらにその竿と竿を屈伸可能な２枚のリンク板で構成した小リンクで連結。小リンクを屈伸させるだけで枠体の二面間距離を平行な状態のまま長短できることを特徴とする伸縮機構である。【０００７】  このような伸縮機構は、竿、リンク板、及びスライド穴の長さを変えるだけで各種伸縮量のものが同じ手法で簡単に製作できる利点がある。【０００８】  また、請求項２に記載の発明は、請求項１に記載の伸縮機構において、伸び位置と縮み位置にコの字などの窪みのついた固定具を小リンクの交点に回動可能に取付け、Ｘ字の竿の交点に上記窪みに内接する軸を取付ける。伸び位置および縮み位置で固定具を軸が内接するまで窪み側に回動することで、竿の動きをしっかりと止め、伸縮状態を安定維持することを特徴とする伸縮機構である。【０００９】  また、固定具の窪みを追加するだけで伸び位置、縮み位置以外の位置での固定が容易にできる利点がある。【００１０】  請求項３に記載の発明は、請求項１、２に記載の伸縮機構を用いたラックに関するものである。布、網などの屈曲性の良い棚材の両端を伸縮機構が伸びた状態で棚材を張り枠体に別々に固定する。縮む時に自重で枠間の距離に合わせて弛ませることで伸縮を可能にしたラックである。
また、伸縮機構に車輪を付加すれば移動式のラックにもなる。
【図面の簡単な説明】
【００１１】
【図１】伸縮機構の伸びた状態の正面図
【図２】伸縮機構の縮んだ状態の正面図
【図３】伸縮機構の図１の平面図
【図４】伸縮機構の図１の右側面図
【図５】ラックの伸びた状態の正面図
【図６】ラックの縮んだ状態の正面図
【図７】ラックの伸びた状態の平面図
【発明を実施するための形態】
【００１２】  以下、本発明の伸縮機構およびラックの実施形態について図を参照して説明する。
最初に伸縮機構について、伸縮機構の正面を示す図１、２、伸縮機構の平面を示す図３、伸縮機構の側面示す図４を参照して説明する。図中の１００を前面、２００を後面、３００を左側面、４００を右側面の名称で記述する。
伸縮機構は、左側面の枠体００１、これと平行に右側面の枠体００２を併設し、左側面の枠体００１には大リンクの連結軸００５の軸受け００３ａと００３ｂおよび大リンクのスライド溝００７ａと００７ｂを設けてある。
また、同様に右側面の枠体にも連結軸００６の軸受け００４ａと００４ｂとスライド溝００８ａと００８ｂを設けてある。
【００１３】  次に、リンクの構成について説明する。後述の大リンク０１０，０２０および小リンク０３０，０４０は、前面と後面に対称に取付けており、構成、動作が同様のため説明は前面に関して行う。
前面側の大リンク０１０は二本の竿０１０ａと０１０ｂを回動量が等しくなるように竿の中点と中点を軸０１１を介して回動可能にＸ字に組合せている。尚、軸０１１は、後述の固定具の溝、窪みに内接する長さを設定してある。
また、大リンク０１０の竿０１０ａの下端は左側面の枠体００１に設けた軸受け００３ａを挿通の連結軸００５に固定し、竿０１０ｂの下端は右側面の枠体００２に設けた軸受け００４ａに挿通の連結軸００６にそれぞれ回動可能に固定してある。同様に連結軸００５と連結軸００６は後面の大リンク０２０にも連結した状態で固定してある。また竿０１０ａの上端は右側面の枠体００２に設けたスライド溝００８ａにスライドピン０１３を介し、竿０１０ｂの上端は左側面の枠体００１に設けたスライド溝００７ａにスライドピン０１２を介してスライド可能に取付けてある。
【００１４】  次に、小リンク０３０は、両端に軸受け穴を設けた２枚のリンク板０３０ａ，０３０ｂの片方を重ね合せて連結ピン０３１を介して、もう片方を固定ピン０３２および固定ピン０３３を介して大リンク０１０の竿０１０ａ、０１０ｂにそれぞれ屈伸可能に取付けてある。また、重ね合せ部には小リンク０３０を屈伸し易くするための取っ手０３４を設けてある。
尚この時、小リンクの長さ、大リンクへの取付け位置は伸縮サイズに合わせて設定すれば良い。
【００１５】  これにより、小リンク０３０の取っ手０３４を引上げればＸ字に組合わされた前面側の大リンク０１０の竿０１０ａと０１０ｂが中央の軸０１１を中心にそれぞれ内側に回動し、同時にスライドピン０１２、０１３は上方にスライドして竿の上端間、および下端間が同じ量だけ引き寄せられ、連結した左側面の枠体００１と右側面の枠体００２間が狭まり伸縮機構は図２に示す縮んだ状態となる。
【００１６】また、この状態から小リンク０３０の取っ手０３４を押し下げれば大リンク０１０の竿０１０ａ、０１０ｂが外側に回動して竿の上端間、および下端間が開き、枠体００１と枠体００２間が元の幅まで広がり伸縮機構は図１に示す伸びた状態となる。以上の操作は前面、後面とも同時に行う。小リンク０３０，０４０は前面、後面の両面に取付けるほか、作業性や固定力などの使用条件に応じて片側にしても良いし、小リンク０３０と小リンク０４０を同じ位置で連結して同時に動くように構成にしても良い。
【００１７】  次に、伸縮機構に取付ける固定具０５０について図１、２を参照して説明する。
後述の固定具は前面、後面に対称に取付けており、構成、動作が同様のため説明は前面に関して行う。
固定具０５０は伸び状態を固定する窪み０５１、縮み状態を固定する窪み０５２とこの二つの窪みを繋ぐ溝０５３とリンクへの取付け穴０５４を有するもので、片方は取付け穴０５４を前述の連結ピン０３１を挿通し、小リンク０３０に回動可能に取付けてある。もう片方は軸０１１が窪み０５１、０５２および溝０５３に内接した状態で摺動するように取付けてある。
【００１８】  図１は伸びた状態での固定である。この状態から固定具０５０を時計方向に回動し窪み０５１から軸０１１を抜く。次に小リンク０３０を引上げながら軸０１１を溝０５３に沿って窪み０５２の位置まで移動して、固定具を半時計方向に回動し窪み０５２に嵌めれば図２に示す縮んだ状態での固定ができる。以上の操作は前面、後面とも同時に行う。
また、中間での固定が必要や場合などの用途に合わせて窪みの数および形状は変えても良い。
【００１９】  次に、伸縮可能なラックについて図５、図６、図７を参照して説明する。
前述の伸縮機構に布、網などの屈曲性の良い棚材１０１の両端に丸棒などの支持材１０２、１０３を付けて棚１００を形成し、支持材１０２は左側面の枠体００１に、支持材１０３は右側面の枠体００２に取付ける。この時、伸縮機構が伸びた状態で棚面はしっかりと張るのが望ましい。図５，６は棚５段の状態を示す。
【００２０】  続いて、伸縮動作と棚の形状変化について説明する。
まず、小リンク０３０を引上げて行くと伸縮機構の左側面の枠体００１と右側面の枠体００２が徐々に近づく。これと同期して枠体に付けた支持材１０２と支持材１０３も内側に移動し、図６に示すように棚材１０１が自重でＵ字に垂れ下がり弛む。
次に、前述の状態から小リンク０３０を押し下げて行くと伸縮機構の枠体００１と枠体００２が徐々に離れる。枠体に付けた支持材１０２と支持材１０３も外側に移動し、棚１００は棚材１０１の両端が引っ張られて伸びきった状態で図５、図７に示すように水平になる。
この時、小リンク０３０は伸びるに従い棚を張る力が増大するように付設し作業を容易にしてある。
このように、屈曲可能な棚を付けることで伸縮が可能なラックにしてある。
また、更に棚を頑丈にする場合には、伸び時の約半分の長さの板状の棚材を２枚重ね合わせスライドして、伸縮する方法にしても良い。
【符号の説明】
【００２１】００１    左側面の枠体
００２    右側面の枠体
００３ａ  軸受け
００５    連結軸
００７ａ  スライド溝
０１０    前面の大リンク
０１０ａ  竿
０１１    軸
０１２    スライドピン
０３０    前面の小リンク
０３０ａ  リンク板
０３１    連結ピン
０３４    取っ手
０５０    固定具
０５１    窪み
１００    棚
１０１    棚材
１０２    支持材
【図１】
2017070683.tif 000003
【図２】
2017070683.tif 000004
【図３】
2017070683.tif 000005
【図４】
2017070683.tif 000006
【図５】
2017070683.tif 000007
【図６】
2017070683.tif 000008
【図７】
2017070683.tif 000009